(57)【要約】      （修正有）【課題】紙コップや紙椀等の食品類を収容する収容ケースであって、環状壁体と底板を組み合せることにより、収納に便利で、使用者が自分でスピーディーに組み立てて使用できるようにした収容ケースを提供する。【解決手段】収容ケース１は折り畳んで平面状態で積み重ねて収納でき、並びにスピーディーに組み合わせて使用でき、それは環状壁体１０と底板２０を具える。また、該環状壁体は紙材を一体に巻いてなり、その底縁に内向き上向きに折り返されて成る内フランジ１１が設けられ、環状壁体が巻かれ、且つ底板が内フランジの上方に架設され並びに環状壁体の内側に当接し、環状壁体が開かれた後、物品を収容できる収容空間を形成する。【選択図】図２
0003175883.tif 000002
【実用新案登録請求の範囲】
【請求項１】
収容ケースにおいて、
紙材を一体に巻いてなり、中空桶状を呈し、且つ底端に内向き上向きに折り返されてなる内フランジが設けられた環状壁体と、
該内フランジの上方に架設されて該環状壁体の内側に当接する底板と、
を包含したことを特徴とする、収容ケース。
【請求項２】
請求項１記載の収容ケースにおいて、該環状壁体に上端から底端に傾斜するように延伸された少なくとも１本の切り取り線が設けられたことを特徴とする、収容ケース。
【請求項３】
請求項１記載の収容ケースにおいて、該環状壁体の展開構造は、巻かれて該環状壁体を構成する長尺状壁板、該長尺状壁板の底端に設けられて折り返された時に辺縁が該内フランジを構成する折り返し部、該長尺状壁板の端部に設けられて該長尺状壁板が巻かれた後に位置決めする位置決めユニットを包含することを特徴とする、収容ケース。
【請求項４】
請求項３記載の収容ケースにおいて、該長尺状壁板は略扇形を呈し、巻かれた後に該環状壁体が上が広く下が狭い状態を呈することを特徴とする、収容ケース。
【請求項５】
請求項３記載の収容ケースにおいて、該長尺状壁板は矩形を呈し、巻かれた後に該環状壁体が上下が等径の直筒状を呈することを特徴とする、収容ケース。
【請求項６】
請求項３記載の収容ケースにおいて、該位置決めユニットは該長尺状壁板の一端に設けられた係合板と、該長尺状壁板の他端に設けられた係合切り口を包含することを特徴とする、収容ケース。
【請求項７】
請求項３記載の収容ケースにおいて、該位置決めユニットは該長尺状壁板の一端に設けられた粘着板を包含することを特徴とする、収容ケース。
【請求項８】
請求項７記載の収容ケースにおいて、該環状壁体に上端から底端に向けて延伸された少なくとも２本の縦向きプレス折り線が設けられ、この２本のプレス折り線が該環状壁体の二分割位置に位置することを特徴とする、収容ケース。
【請求項９】
請求項３記載の収容ケースにおいて、該環状壁体に若干の縦向きの分割線が設けられ、該該分割線により該長尺状壁板が等分割されて複数の分割面が形成され、該底板の外輪郭が多角形を呈し、且つその辺の数量が該分割面の数量に対応することを特徴とする、収容ケース。
【考案の詳細な説明】
【技術分野】
【０００１】
本考案は一種の収容ケースの構造に係り、特に積み重ねての収納空間を節約できる収容ケースに関する。
【背景技術】
【０００２】
一般に市販されている紙コップ、紙碗或いは類似の造形の収容ケースは、大多数が、壁材を巻いて縁を接合するか或いは接着する方式で紙コップ、紙碗の環状壁体と底板を接合している。
【０００３】
接合完成した紙コップ、紙碗は固定形状とされ、使用上、相当に便利であるが、もし大量にストック、運送或いは収納する場合は、積み重ねの方式で紙コップ、紙碗を連続して積み重ねる必要があり、このような積み重ね収納の方式は、高く積み重ね過ぎて斜めに歪みやすく、ストックと運送の空間を相当に占有する。
【０００４】
実際に、収容ケースの応用範囲は非常に広く、必ずしも液体収容に応用されるわけではなく、ケーキやクッキー或いはその他の食品の収容にも運用可能であり、このため、液体を収容しないという前提であれば、収容ケースを底板と環状壁体とを分離して積み重ねられるように設計すれば、必然的に大量のストック及び運送空間を節約できる。
【考案の概要】
【考案が解決しようとする課題】
【０００５】
本考案の主要な目的は、収納に便利で、使用者が自分でスピーディーに組み立てて使用できる収容ケースを提供することにある。
【課題を解決するための手段】
【０００６】
上述の目的を達成するため、本考案の収容ケースは、環状壁体と、該環状壁体より分離可能な底板を組み合わせてなり、該環状壁体は紙材を巻いてなり、その外形は中空桶状を呈し、且つその底端に内向き上向きに折り返されてなる内フランジが形成され、該底板は該内フランジの上方に架設され並びに該環状壁体の内側に当接する。
【０００７】
そのうち環状壁体の展開構造は、巻かれて環状壁体を形成するための長尺状壁板、長尺状壁板底端に設けられて折り返される時に縁に沿って上述の内フランジを構成する折り返し部、長尺状壁板の端部に設けられて長尺状壁板が巻かれた後の位置決めに供される位置決めユニット、を包含する。
【０００８】
該位置決めユニットは長尺状壁板の一端の係合板、該長尺状壁板の他端の係合切り口により構成され、使用者は収容ケースを使用する時に、長尺状壁板を巻いて環状壁体を形成し、並びに一端の係合板を別端の係合切り口内に係合させ、さらに折り返し部を環状壁体内部に向けて折って折り返し部の縁に沿って内フランジを形成し、このとき、底板を内フランジの上方に置いて環状壁体内側に当接させれば、収容ケースの組立が完成する。
【０００９】
或いは、該位置決めユニットは長尺状壁板の一端に設けられた粘着板とされ、環状壁体に少なくとも２本の上端から下向きに底端まで延伸された縦向きのプレス折り線が設けられ、この２本のプレス折り線が該環状壁体の二等分の位置に位置する。
【００１０】
製造時、予め粘着板により長尺状壁板の両端が粘着されて環状壁体が形成され、ストック及び運送時には、２本のプレス折り線の位置で環状壁体が平らに押され、これにより、本考案の収容ケースは使用前に、環状壁体、底板が分離されて平面状態で積み重ねられ、並びに使用が必要である時に、環状壁体が押し開かれ、さらに折り返し部が折られて内フランジが形成され、底板が置き入れられて環状壁体が開いた状態で固定され、スピーディーに収容ケースの組立が完成する。
【００１１】
このほか、収容ケースに収容されたケーキを取り出す時は、ケーキの取り出しに便利であるように、反対方向に底板を取り出す方式で全体のケーキを取り出せるようにするか、或いはさらに環状壁体に少なくとも１本の、上端から下向きに傾斜するように延伸された底端の切り取り線が設けられ、使用者は切り取り線で環状壁体を切り開き、この時、簡単に底板と底板上に置かれたケーキを取り出せる。
【考案の効果】
【００１２】
先の技術と比較すると、本考案の収容ケースは分離して積み重ねてストックと運送が行える長所を有し、並びに使用時に、使用者がスピーディーに組み立てることができ、また、スピーディーに分解し収容物を取り出すことができる。
【図面の簡単な説明】
【００１３】
【図１】本考案の第１実施例の立体図である。
【図２】本考案の第１実施例の立体分解図である。
【図３】本考案の第１実施例の環状壁体展開図である。
【図４】本考案の第１実施例の底板平面図である。
【図５】本考案の第２実施例の立体分解図である。
【図６】本考案の第２実施例の環状壁体展開図である。
【図７】本考案の第３実施例の環状壁体展開図である。
【図８】本考案の第４実施例の環状壁体展開図である。
【図９】本考案の第４実施例の底板平面図である。
【考案を実施するための形態】
【００１４】
本考案の技術手段により本考案に適した実施方式を列挙し、並びに図面を組み合わせて以下に説明する。
【００１５】
図１及び図２は本考案の第１実施例の立体図及び立体分解図である。収容ケース１は、環状壁体１０と環状壁体１０より分離可能な底板２０が組み合わされてなる。該環状壁体１０は紙材を巻いてなり、外形は中空の桶状構造を呈し、且つその底端に内向き上向きに折り返されてなる内フランジ１１が設けられている。底板２０は内フランジ１１の上方に架設され、並びに環状壁体１０の内側に当接する。
【００１６】
図３及び図４は、本考案の第１実施例の環状壁体展開表示図及び底板平面図である。環状壁体１０の展開構造は、巻いて環状壁体１０を形成するための長尺状壁板１２、長尺状壁板１２の底端に設けられて折り返された時に辺縁が内フランジ１１を形成する折り返し部１３、長尺状壁板１２の端部に設けられて長尺状壁板１２が巻かれた後の位置決めに供される位置決めユニット１４を包含する。
【００１７】
前述の折り返し部１３には若干の短い折り線１３ａが設けられ、折り返し部１３がより順調に折り返され、長尺状壁板１２は略扇形を呈し、環状壁体１０は上が広く下が狭い態様を呈する。
【００１８】
この実施例に開示される位置決めユニット１４は長尺状壁板１２の一端の係合板１４ａ、該長尺状壁板１２の他端の係合切り口１４ｂにより構成される。底板２０は環状壁体１０の桶状外形に合わせて、円形の外輪郭を有する片状体とされる。実施時には底板２０は紙材、プラスチック材或いは金属材で構成される。
【００１９】
図１も合わせて参照されたい。使用者が収容ケース１を使用したい時は、長尺状壁板１２を巻いて環状壁体１０を形成し、並びに一端の係合板１４ａを別端の係合切り口１４ｂ内に係合させ、さらに折り返し部１３を環状壁体１０内部に向けて折り返して折り返し部１３の縁に沿って内フランジ１１を形成し、このとき、底板２０を内フランジ１１の上方に置いて環状壁体１０内側に当接させれば、収容ケース１の組立が完成する。
【００２０】
収容ケース１にケーキを入れる時は、ケーキの取り出しに便利であるように、反対方向に底板２０を取り出す方式で全体のケーキを取り出せるようにするか、或いは環状壁体１０に少なくとも１本の上端から下端に、傾斜するよう延伸された切り取り線１５が設けられ、使用者が切り取り線１５で環状壁体１０を切り開いて、簡単に底板と底板上のケーキを取り出せるようにしてもよい。
【００２１】
図５及び図６は本考案の第２実施例の環状壁体展開表示図及び立体分解図である。この実施例と第１実施例の差異は、位置決めユニット１４が長尺状壁板１２側辺に設けられた粘着板１４ｃとされ、環状壁体１０に少なくとも２本の、上端から下に底端まで延伸された縦向きプレス折り線１６が設けられ、この２本のプレス折り線１６が環状壁体１０を２等分する位置に設けられる。
【００２２】
製造時、粘着板１４ｃにより長尺状壁板の両端が粘着されて環状壁体１０が形成され、且つストック及び運送時に２本のプレス折り線１６の位置で環状壁体１０が平らに押しつぶされる。これにより、使用前に環状壁体１０、底板２０を別々に平面状態で折り畳んで収納でき、使用時には、環状壁体１０を開き、さらに折り返し部１３を折り返して内フランジ１１を形成して底板を置き入れれば、スピーディーに収容ケースの組立が完成する。
【００２３】
図７は本考案の第３実施例の環状壁体展開表示図である。この実施例と第１実施例との差異は、長尺状壁板１２が略矩形を呈し、それが巻かれて環状壁体１０を形成した後は、上下が同じ直径の直筒状とされて使用に供されることにある。
【００２４】
図８及び図９は本考案の第４実施例の環状壁体展開表示図及び底板平面図である。この実施例の第１実施例との違いは、長尺状壁板１２に若干の縦向き分割線１７が設けられ、長尺状壁板１２が等分に若干の分割面１８に分割され、底板１０の外輪郭が正多角形とされ（図中には正方形を以て表示される）、且つその辺の数量は前述の分割面１８の数量に対応し、これにより多角形の立体態様を構成する。
【００２５】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００２６】
１  収容ケース          １０  環状壁体
１１  内フランジ        １２  長尺状壁板
１３  折り返し部        １３ａ  短折り線
１４  位置決めユニット  １４ａ  係合板
１４ｂ  係合切り口      １４ｃ  粘着板
１５  切り取り線        １６  プレス折り線
１７  分割線            １８  分割面
２０  底板
【図１】
0003175883.tif 000003
【図２】
0003175883.tif 000004
【図３】
0003175883.tif 000005
【図４】
0003175883.tif 000006
【図５】
0003175883.tif 000007
【図６】
0003175883.tif 000008
【図７】
0003175883.tif 000009
【図８】
0003175883.tif 000010
【図９】
0003175883.tif 000011